(57)【特許請求の範囲】
【請求項１】
入力された複数の入力ソースを選択的に出力するミキサ入力チャンネル手段と、
前記ミキサ入力チャンネル手段から選択的に出力された前記入力ソースをミキシングする複数のバスを備えるミキシングバス手段と、
該ミキシングバス手段からのミキシング出力を、録音ソースとして任意の録音トラックに個別に割り当てる録音セレクト手段と、
前記複数の入力ソースと、前記ミキシングバス手段における各バスと、前記複数の録音トラックとの接続関係を少なくとも表示する表示手段とを備え、
前記表示手段に表示された前記接続関係を表示する画面において、前記ミキシングバス手段における前記バスのいずれかを選択バスとして選択した状態で、前記入力ソースのいずれかと前記録音トラックのいずれかとを選択した時点で、前記ミキサ入力チャンネル手段と前記録音セレクト手段の制御により、選択された入力ソースが前記選択バスにおいてミキシングされて、選択された録音トラックに出力されるように自動的にルーチングされると共に、その接続関係が前記表示手段に表示されるようにしたことを特徴とするミキサを備えるディジタルレコーダ。
【請求項２】
前記表示手段に表示された接続関係を表示する画面において、前記ミキシングバス手段における前記バスのいずれかを選択バスとして選択した状態で、前記入力ソースのいずれか、あるいは、前記録音トラックのいずれかを選択した際に、選択された入力ソースが前記選択バスにおいてミキシングされ、あるいは、前記選択バスのミキシング出力が選択された録音トラックに出力されるようにルーチングされると共に、その接続関係が前記表示手段に表示されるようにしたことを特徴とする請求項１記載のミキサを備えるディジタルレコーダ。
【請求項３】
前記表示手段に表示された接続関係を表示する画面において、前記ミキシングバス手段における前記バスのいずれかを選択バスとして選択した状態で、前記録音トラックのいずれかを選択した際に、選択された録音トラックが非選択の前記バスに接続されていた場合は、その接続を解除して、前記選択バスのミキシング出力を選択された録音トラックに出力するように接続すると共に、その接続関係が前記表示手段に表示されるようにしたことを特徴とする請求項１あるいは２記載のミキサを備えるディジタルレコーダ。
【請求項４】
前記表示手段に表示された接続関係を表示する画面において、前記ミキシングバス手段における前記バスのいずれかを選択バスとして選択した状態で、前記入力ソースのいずれか、および／または、前記録音トラックのいずれかを選択した際に、選択された前記入力ソース、および／または、選択された前記録音トラックが前記選択バスに接続されていた場合は、その接続を解除すると共に、その接続関係が前記表示手段に表示されるようにしたことを特徴とする請求項１ないし３のいずれかに記載のミキサを備えるディジタルレコーダ。
【請求項５】
入力された複数の入力ソースを選択的に出力するミキサ入力チャンネル手段と、
前記ミキサ入力チャンネル手段から選択的に出力された前記入力ソースをミキシングする複数のバスを備えるミキシングバス手段と、
該ミキシングバス手段からのミキシング出力を、録音ソースとして任意の録音トラックに個別に割り当てる録音セレクト手段と、
前記複数の入力ソースと、前記ミキシングバス手段における各バスと、前記複数の録音トラックとの接続関係を少なくとも表示する表示手段とを備え、
前記表示手段に表示された前記接続関係を表示する画面において、前記入力ソースのいずれかと前記録音トラックのいずれかとを選択した時点で、前記ミキサ入力チャンネル手段と前記録音セレクト手段の制御により、選択された入力ソースが、選択された録音トラックに応じた前記バスの１つにおいてミキシングされて、選択された録音トラックに出力されるように自動的にルーチングされると共に、その接続関係が前記表示手段に表示されるようにしたことを特徴とするミキサを備えるディジタルレコーダ。
【請求項６】
前記表示手段に表示された接続関係を表示する画面において、前記入力ソースのいずれか、あるいは、前記録音トラックのいずれかを選択した際に、選択された入力ソースに応じた前記バスの１つにおいて選択された入力ソースがミキシングされるように接続、あるいは、選択された録音トラックに応じた前記バスのミキシング出力が選択された録音トラックに出力されるように接続されると共に、その接続関係が前記表示手段に表示されるようにしたことを特徴とする請求項５記載のミキサを備えるディジタルレコーダ。
【請求項７】
前記表示手段に表示された接続関係を表示する画面において、前記入力ソースのいずれか、および／または、前記録音トラックのいずれかを選択した際に、選択された前記入力ソース、および／または、選択された前記録音トラックが対応する前記バスに接続されていた場合は、その接続を解除すると共に、その接続関係が前記表示手段に表示されるようにしたことを特徴とする請求項５または６に記載のミキサを備えるディジタルレコーダ。
【発明の詳細な説明】
【０００１】
【発明が属する技術分野】
本発明は、入力されたオーディオデータ等をミキシングして、ハードディスク等の記憶装置に記録することのできるミキサを備えるディジタルレコーダに関する。
【０００２】
【従来の技術】
従来より、入力されたオーディオ信号を変換したディジタル・データや、ディジタル・データとして入力されたオーディオ・データを、ミキシングして出力するディジタル・ミキサが知られている。また従来より、ディジタル・オーディオ・データをハードディスク装置などの外部記憶装置に録音し再生するディジタル・レコーダが知られている。ディジタル・レコーダには、複数系列のオーディオ・データを複数のトラックに個別に録音できるマルチトラックとされているものがある。最近では、ディジタル・ミキサとマルチトラックのディジタル・レコーダとを組み合わせたミキサを備えるディジタルレコーダが知られている。
【０００３】
従来のミキサを備えるディジタルレコーダでは、複数のミキサ入カチャンネルへ選択的に入力ソースを割り当てるパッチングを可能にしたものが知られている。これは、ミキサヘの入力である複数のディジタル化したアナログ入力信号、複数のディジタル入力信号、および外部エフエクタなどからの入力信号を、ミキサ入カチャンネルヘ選択的に割り当てる機能である。また、ミキサ入カチャンネルからどのミキシング用のバスヘ出力するか、あるいは、ダイレクトに出力するかを設定することが可能なものが知られている。これは、ミキサの各入カチャンネルから複数のミキシングバスおよびステレオバスなどのバスへの出力、あるいはミキシングせずに入力した信号をダイレクトに出力することを設定する機能である。ダイレクトに出力された信号あるいはミキシングバスなどのバスからの出力信号はミキサを備えるディジタルレコーダの録音用の各トラックへ任意に割り当てることができるようにされている。
【０００４】
【発明が解決しようとする課題】
従来のミキサを備えるディジタルレコーダでは、入力ソースのパッチングおよび録音トラックの選択などが自由にパッチングできるようになったため、録音時に設定する設定操作が煩雑になると共に、わかりづらいという問題点があった。
そこで、これを解決するために、入力ソースをダイレクトに録音トラックに録音する際のパッチング操作を簡単に行うための簡易録音設定（クイックＲＥＣ）機能を用意したものが、本出願人により先願（特願２００１−１７６３８３号）として提案されている。提案されているクイックＲＥＣにおいては、クイックＲＥＣが起動された際に表示されるクイックＲＥＣ画面において、簡単な選択操作を行うことにより、複数の入力ソースを、所望の録音トラックにルーチングすることができるようにされている。すなわち、表示器に表示されている所望の入力ソースを選択し、次いで、この入力ソースを録音したい表示されている録音トラックを選択することにより、選択された入力ソースと選択された録音トラックとがルーチングされるようになされている。
【０００５】
この場合、入力ソースのダイレクトアウトを用いて指定された入力ソースから指定された録音トラックへルーチングするようにしている。しかしながら、上記提案されたクイックＲＥＣでは、入力ソースと録音トラックとのパッチングを容易に設定することができるものの、ミキシングバスを経由して録音する場合にはクイックＲＥＣすることができず、ミキシングバスを経由する場合には、録音時に設定する設定操作が煩雑になると共に、わかりづらいという問題点があった。
【０００６】
そこで、本発明はミキシングバスを経由する場合であっても、録音時に設定する設定操作を簡易に行うことのできるミキサを備えるディジタルレコーダを提供することを目的としている。
【０００７】
【課題を解決するための手段】
上記目的を達成するために、本発明のミキサを備えるディジタルレコーダは、入力された複数の入力ソースを選択的に出力するミキサ入力チャンネル手段と、前記ミキサ入力チャンネル手段から選択的に出力された前記入力ソースをミキシングする複数のバスを備えるミキシングバス手段と、該ミキシングバス手段からのミキシング出力を、録音ソースとして任意の録音トラックに個別に割り当てる録音セレクト手段と、前記複数の入力ソースと、前記ミキシングバス手段における各バスと、前記複数の録音トラックとの接続関係を少なくとも表示する表示手段とを備え、前記表示手段に表示された前記接続関係を表示する画面において、前記ミキシングバス手段における前記バスのいずれかを選択バスとして選択した状態で、前記入力ソースのいずれかと前記録音トラックのいずれかとを選択した時点で、前記ミキサ入力チャンネル手段と前記録音セレクト手段の制御により、選択された入力ソースが前記選択バスにおいてミキシングされて、選択された録音トラックに出力されるように自動的にルーチングされると共に、その接続関係が前記表示手段に表示されるようにしている。
【０００８】
また、上記本発明のミキサを備えるディジタルレコーダにおいて、前記表示手段に表示された接続関係を表示する画面において、前記ミキシングバス手段における前記バスのいずれかを選択バスとして選択した状態で、前記入力ソースのいずれか、あるいは、前記録音トラックのいずれかを選択した際に、選択された入力ソースが前記選択バスにおいてミキシングされ、あるいは、前記選択バスのミキシング出力が選択された録音トラックに出力されるようにルーチングされると共に、その接続関係が前記表示手段に表示されるようにしてもよい。
【０００９】
さらに、上記本発明のミキサを備えるディジタルレコーダにおいて、前記表示手段に表示された接続関係を表示する画面において、前記ミキシングバス手段における前記バスのいずれかを選択バスとして選択した状態で、前記録音トラックのいずれかを選択した際に、選択された録音トラックが非選択の前記バスに接続されていた場合は、その接続を解除して、前記選択バスのミキシング出力を選択された録音トラックに出力するように接続すると共に、その接続関係が前記表示手段に表示されるようにしてもよい。
【００１０】
さらにまた、上記本発明のミキサを備えるディジタルレコーダにおいて、前記表示手段に表示された接続関係を表示する画面において、前記ミキシングバス手段における前記バスのいずれかを選択バスとして選択した状態で、前記入力ソースのいずれか、および／または、前記録音トラックのいずれかを選択した際に、選択された前記入力ソース、および／または、選択された前記録音トラックが前記選択バスに接続されていた場合は、その接続を解除すると共に、その接続関係が前記表示手段に表示されるようにしてもよい。
【００１１】
次に、上記目的を達成することのできる本発明の他のミキサを備えるディジタルレコーダは、入力された複数の入力ソースを選択的に出力するミキサ入力チャンネル手段と、前記ミキサ入力チャンネル手段から選択的に出力された前記入力ソースをミキシングする複数のバスを備えるミキシングバス手段と、該ミキシングバス手段からのミキシング出力を、録音ソースとして任意の録音トラックに個別に割り当てる録音セレクト手段と、前記複数の入力ソースと、前記ミキシングバス手段における各バスと、前記複数の録音トラックとの接続関係を少なくとも表示する表示手段とを備え、前記表示手段に表示された前記接続関係を表示する画面において、前記入力ソースのいずれかと前記録音トラックのいずれかとを選択した時点で、前記ミキサ入力チャンネル手段と前記録音セレクト手段の制御により、選択された入力ソースが、選択された録音トラックに応じた前記バスの１つにおいてミキシングされて、選択された録音トラックに出力されるように自動的にルーチングされると共に、その接続関係が前記表示手段に表示されるようにしている。
【００１２】
また、上記本発明の他のミキサを備えるディジタルレコーダにおいて、前記表示手段に表示された接続関係を表示する画面において、前記入力ソースのいずれか、あるいは、前記録音トラックのいずれかを選択した際に、選択された入力ソースに応じた前記バスの１つにおいて選択された入力ソースがミキシングされるように接続、あるいは、選択された録音トラックに応じた前記バスのミキシング出力が選択された録音トラックに出力されるように接続されると共に、その接続関係が前記表示手段に表示されるようにしてもよい。
【００１３】
さらに、上記本発明の他のミキサを備えるディジタルレコーダにおいて、前記表示手段に表示された接続関係を表示する画面において、前記入力ソースのいずれか、および／または、前記録音トラックのいずれかを選択した際に、選択された前記入力ソース、および／または、選択された前記録音トラックが対応する前記バスに接続されていた場合は、その接続を解除すると共に、その接続関係が前記表示手段に表示されるようにしてもよい。
【００１４】
このような本発明によれば、入力ソースと、ミキシングバス手段における各バスと、録音トラックとの接続関係を表示する画面において、簡単な選択操作を行うことにより、入力ソースと、ミキシングバス手段における各バスと、録音トラックとが選択に応じてルーチングされるようになる。これにより、ミキシングバスを使用する場合であっても、録音時に設定する設定操作を簡易に行うことができるようになる。
ところで、ミキシングバスを使用した録音の設定では、一般には、複数の入力ソースについて、各入力ソース毎にどのミキシングバスへ出力するかを指定していかなければならないため、全体としての接続状態が把握しにくい。しかし、本発明では、画面上にミキシングバスをグラフィック表示しているため、複数本のバスがある場合でもバスの接続状態が一目で把握できるようになる。
【００１５】
【発明の実施の形態】
本発明の実施の形態のミキサを備えるディジタルレコーダの構成を示すブロック図を図１に示す。
図１に示す本発明の実施の形態に係るミキサを備えるディジタルレコーダ１は、ミキシング機能を備えており、このミキシング機能により複数の入力ソースをミキシングして録音することができるようにされている。ミキサを備えるディジタルレコーダ１において、ＣＰＵ（Central Processing Unit）１０は、録音処理や再生処理を実行する中央処理装置であり、フラッシュメモリ１１は、ＣＰＵ１０が実行する録音処理や再生処理に関するプログラム等を格納している書き換え可能なＲＯＭ（Read Only Memory）である。ＲＡＭ１２は、ミキサを備えるディジタルレコーダ１におけるシステムメモリであり、ＣＰＵ１０のワークエリア等が設定されるＲＡＭ（Random Access Memory）である。表示器１３は、後述する簡易録音設定（クイックＲＥＣ）を含む各種の設定画面や情報を表示するための液晶表示装置等からなるディスプレイである。フェーダ１４は、ミキサチャンネルのレベル調整や、出力レベルの調整、トラックチャンネルのモニターレベルの調整などを行なうスライドボリューム形式の操作子である。操作子１５は、録音ボタンや再生ボタン等の各種の操作子である。
【００１６】
ＤＳＰ１６は、オーディオ・データ等の入力ソースのミキシング処理や、エフェクト付与処理などを行なうディジタル・シグナル・プロセッサである。このＤＳＰ１６によりディジタル・ミキサが構成されており、ＤＳＰ１６にはアナログ入力部（ＡＤ）３０に入力されたアナログのオーディオ入力が、ディジタルデータに変換されて入力されていると共に、ディジタル入力部（ＤｉｎＬ／Ｒ）３１に入力されたステレオ２チャンネルのディジタルのオーディオデータが入力されている。また、ＤＳＰ１６から出力されたステレオ２ｃｈのディジタルのオーディオデータがアナログ出力部（ＡｏｕｔＬ／Ｒ）３２においてアナログ信号に変換されて出力されると共に、ステレオ２ｃｈのディジタルのオーディオデータがディジタル出力部（ＤｏｕｔＬ／Ｒ）３３から出力される。
【００１７】
バッファメモリ１７は、ハードディスク１９にオーディオデータ等の波形データを録音／再生する時に、その波形データを一時記憶するバッファである。転送回路１８は、ＣＰＵ１０の制御の基で、ハードディスク１９とバッファメモリ１７との間のデータ転送Ｂ、およびＤＳＰ１６とバッファメモリ１７との間のデータ転送Ａを制御している。ハードディスク１９に対する録音および再生は、マルチトラックで行うことができるようにされている。マルチトラックにおける各トラックに録音する際の転送回路１８の基本的な動作は、サンプリング周期ごとにＤＳＰ１６から録音用のデータを１サンプルずつ受け取ってバッファメモリ１７に書き込み（転送Ａ）、バッファメモリ１７に１記録単位分のサンプルが蓄積された際に、１記録単位分のサンプルをハードディスク１９へ転送（転送Ｂ）して記録している。この動作を繰り返し行うことにより、各トラックに録音するようにしている。なお、転送Ａは転送Ｂの動作時にも時分割で平行して行われている。
【００１８】
また、各トラックを再生する際の転送回路１８の基本的な動作は、当該トラックの先頭から所定記録単位分のサンプルをハードディスク１９から読み出してバッファメモリ１７に書き込み（転送Ｂ）、サンプリング周期ごとにバッファメモリ１７から１サンプルずつ読み出してＤＳＰ１６に渡して（転送Ａ）再生している。そして、読み出しによりバッファメモリ１７に所定の空き領域が生じる毎に、ハードディスク１９からその空き領域へ後続の１記録単位分のデータを転送するようにしている。なお、１記録単位はハードディスク１９の記録領域を分割している単位であるセクタとすることができる。
さらに、パーソナル・コンピュータ（ＰＣ）とのＩ／Ｏインターフェース２０は、ＰＣをミキサを備えるディジタルレコーダ１に接続するためのインターフェースであり、バス２１は、各部の間でデータや制御信号を授受するバスラインである。
【００１９】
本発明にかかるミキサを備えるディジタルレコーダ１において、ＤＳＰ１６により実現されるミキシング処理の概要を表すブロック図を図２に示す。
図２において、ＡＤ４０では、８本あるアナログ入力をそれぞれアナログ・ディジタル変換して、入力パッチ４２に８ｃｈの入力ソースを提供している。ＤｉｎＬ／Ｒ４１では、ステレオ２ｃｈのディジタルの入力ソースを入力パッチ４２に入力している。入力パッチ４２は、入力された８ｃｈの入力ソースと、ステレオ２ｃｈの入力ソースのいずれか１つを、８ｃｈのミキサ入力ｃｈ部４３のそれぞれのチャンネルに選択的に割り当てている。ミキサ入力ｃｈ部４３は、ミキシングを行なう２本の汎用バス（ＭＩＸ１，２）４５、ステレオ用バス（Stereo L/R）４６および２本のＡＵＸバス（ＡＵＸ１，２）４７へ、選択的にミキサ入力チャンネルを接続している。ミキサ入力ｃｈ部４３は、全部で８ｃｈあり、各ｃｈごとに入力の周波数特性調整、コンプレッサ、およびパンなどの制御や、音量レベル調整を行なうことができるようにされている。
【００２０】
ミキサ入力ｃｈ部４３は任意のミキシングバス４５，４６，４７に選択的に８ｃｈのミキサ入力チャンネルを接続している。特に、ミキサ入力ｃｈ部４３における各ミキサ入力チャンネルから、フェーダによりチャンネルレベル制御した信号を、２本の汎用バス４５、あるいは２本のステレオ用バス４６へ選択的に出力可能とされている。また、各ミキサ入力チャンネルから、チャンネルレベル制御した信号にさらにＡＵＸレベル制御して、２本のＡＵＸバス４７へ出力可能とされている。また、ミキサ入力ｃｈ部４３は、ハードディスクレコーダ５２の１６個のトラックヘ直接入力するためのダイレクトアウトを持っている。ミキサ入力ｃｈ部４３から録音セレクタ５１へ直接入力されている８ｃｈのパスが、このダイレクトアウトに相当する。さらに、ミキサ入力ｃｈ部４３におけるミキサ入力チャンネルは、後述する出力パッチ４８を介して直接出力することができるようにされている。
【００２１】
ミキシング出力が出力されるＡｏｕｔＬ／Ｒ４９は、ステレオ２ｃｈのアナログ出力（図１に示すＡｏｕｔＬ／Ｒ３２に相当している）である。また、ミキシング出力が出力されるＤｏｕｔＬ／Ｒ５０は、ステレオ２ｃｈのディジタル出力（図１のＤｏｕｔＬ／Ｒ３３に相当している）である。ハードディスクレコーダ５２は、１６トラック録音／１６トラック再生が可能とされている内部レコーダである。各トラックには、録音用の録音ソースとして、２本の汎用バス４５、ミキサ入力ｃｈ部４３からの８チャンネルのダイレクトアウト、１組（２本）のステレオ用バス４６、または２本のＡＵＸバス４７の全１４本のうちの何れか１本を選択的に接続可能とされている。その割り当ては、録音セレクタ５１により行われる。
【００２２】
ハードディスクレコーダ５２の各トラックの再生出力は、レコーダｃｈ部４４に供給される。レコーダｃｈ部４４は、ハードディスクレコーダ５２の１６トラックに対応して１６ｃｈ設けられている。各レコーダｃｈ部４４の各レコーダチャンネルでは、周波数特性調整、コンプレッサ、およびパンなどの制御や音量レベル調整を行なうことができる。また、レコーダｃｈ部４４における各レコーダチャンネルには、対応するトラックの録音用の入力または対応するトラックからの再生出力が入力される。各レコーダｃｈ部４４から、フェーダによりチャンネルレベル制御した信号を、２本の汎用バス４５、または２本のステレオ用バス４６へ選択的に出力可能とされている。また、レコーダｃｈ部４４から、チャンネルレベル制御した信号にさらにＡＵＸレベル制御して２本のＡＵＸバス４７へ出力可能とされている。汎用バス４５，ステレオ用バス４６，ＡＵＸバス４７の出力あるいはミキサ入力ｃｈ部４３のダイレクト出力は出力パッチにより選択的に、ＡｏｕｔＬ／Ｒ４９あるいはＤｏｕｔＬ／Ｒ５０に割り当てることができる。
【００２３】
本発明にかかるミキサを備えるディジタルレコーダ１におけるパネルの外観構成を図３に示す。
図３に示すように、ミキサを備えるディジタルレコーダ１のパネル上には、次に示すものが備えられている。クイックＲＥＣの設定画面等が表示される表示器（ＬＣＤ）１３、クイックＲＥＣの設定時に録音する入力ソースを選択可能なＩＮＰＵＴのセレクタボタン（ＳＥＬ）６０、クイックＲＥＣを起動するクイックＲＥＣボタン（QUICK REC）６１、クイックＲＥＣの設定時に録音するトラックを選択可能なトラックのセレクタボタン（ＳＥＬ２）６２、停止中および録音中は接続されているＩＮＰＵＴのモニターレベルを調整可能とされ、録音中でない走行中はそのトラックの再生のモニターレベルを調整可能なトラック毎に設けられているフェーダ６３、各種データの設定値を設定変更することのできるジョグダイヤル６４、表示器１３に表示されるカーソルを移動させる方向キー６５、入力を確定させるエンターキー（ENTER）６６、ＲＥＷキー（巻き戻し）、ＦＦキー（早送り）、ＰＬＡＹキー（再生）、ＲＥＣキー（録音）、ＳＴＯＰキー（停止）からなる再生／録音操作子６７、アナログＩＮＰＵＴのゲインを調整するゲインノブ６８。なお、トラック９／１０，トラック１１／１２，トラック１３／１４，トラック１５／１６，トラック１７／１８はステレオペアトラックとされており、これらのステレオペアトラックにおけるステレオペアのモニターレベルを調整するフェーダがトラックのフェーダ６３に設けられている。また、ミキシングや効果付与されて最終的に得られたステレオ信号（MASTER）の出力レベルを調整するフェーダ（MASTER）がトラックのフェーダ６３に設けられている。
【００２４】
次に、クイックＲＥＣの説明を行う。クイックＲＥＣではいくつかのモードを備えており、まず、ダイレクトアウトを用いて録音指定された入力ソース（録音ソース）から録音指定されたトラック（録音トラック）へルーチングするダイレクトモード設定の説明を行う。
図３に示すパネルに設けられたクイックＲＥＣボタン６１を操作し、表示画面における「ＤＩＲＥＣＴ」にカーソルを移動させると表示器１３に表示されるクイックＲＥＣの表示画面が、図４に示すようなダイレクトモードの表示画面となる。ここで設定された入力ソースからトラックへの結線は、全て、前述したダイレクトアウトのラインにより行なわれる。この表示画面において、左側にはモード選択７１の欄が表示され、「ＤＩＲＥＣＴ」が反転表示されてダイレクトモードとされていることが示される。画面上部に表示されているＩＮＰＵＴの欄には、ミキサ入力ｃｈ部４３における１ｃｈ〜８ｃｈが番号で示され、そのチャンネル番号の直下に結線７４を行うための入力ジャック（ＩＮＰＵＴ  ＪＡＣＫ）７２が表示されている。また、ハードディスクレコーダ５２における１６トラックの各トラック番号が画面下部のＴＲＡＣＫ欄に表示され、その直上に結線７４を行うためのトラックジャック（ＴＲＡＣＫ  ＪＡＣＫ）７３が表示されている。ここで、奇数番のトラック番号とその次の偶数番のトラック番号の間に「・」が表示されている場合、その２つのトラックがペアであることを示している。トラック９〜１６は常時ペアとされており、他方、トラック１〜８は各組ごとにペア設定を行なうことが可能である。この表示画面では「ＴＲＡＣＫ５・６」と表示されているので、トラック５と６がペア設定されていることが判る。
【００２５】
図４に示す表示画面では、上部左側に「ＴＲＡＣＫ１３・１４」と表示されているようにステレオペアトラック１３／１４が選択されており、その対応するレコーダチャンネルのレベルがレベルメータ７５の欄に表示されている。トラック１３／１４は録音用に結線されていないので、ここで表示されているレベルはトラック１３／１４の再生レベルであることが判る。また、ＩＮＰＵＴのチャンネル番号「６」が反転表示されて選択されており、「ＩＮＰＵＴ６」にA.GUITAR（アコースティック・ギター）が選択されていることが示されている。このＩＮＰＵＴのＴＹＰＥは選択可能とされ、エレクトリック・ギターやバス、ボーカル、キーボードなどを選択することができる。
図４に示す表示画面においては、ＩＮＰＵＴチャンネル１がステレオペアトラックの一方のトラック１５に、ＩＮＰＵＴチャンネル２がステレオペアトラックの他方のトラック１６に接続されていることが結線７４により示されている。同様に、ＩＮＰＵＴチャンネル３がトラック１に、ＩＮＰＵＴチャンネル４がトラック４に、ＩＮＰＵＴチャンネル５がステレオペアトラックの一方のトラック９に、ＩＮＰＵＴチャンネル６がトラック２に、ＩＮＰＵＴチャンネル７がステレオペアトラックの一方のトラック５に、ＩＮＰＵＴチャンネル８がステレオペアトラックの他方のトラック６に接続されていることが結線７４により示されている。ハードディスクレコーダ５２の１６トラックのうち、この表示画面で結線されたトラックは、自動的に録音待機状態とされる。
【００２６】
これにより、トラック１にミキサ入力ｃｈ部４３のチャンネル３から出力されるオーディオデータが録音され、トラック２にミキサ入力ｃｈ部４３のチャンネル６から出力されるオーディオデータが録音され、トラック４にミキサ入力ｃｈ部４３のチャンネル４から出力されるオーディオデータが録音される。さらに、ステレオペアトラックの一方のトラック５にミキサ入力ｃｈ部４３のチャンネル７から出力されるオーディオデータが録音され、ステレオペアトラックの他方のトラック６にミキサ入力ｃｈ部４３のチャンネル８から出力されるオーディオデータが録音される。さらにまた、トラック９にミキサ入力ｃｈ部４３のチャンネル５から出力されるオーディオデータが録音され、ステレオペアトラックの一方のトラック１５にミキサ入力ｃｈ部４３のチャンネル１から出力されるオーディオデータが録音され、ステレオペアトラックの他方のトラック１６にミキサ入力ｃｈ部４３のチャンネル２から出力されるオーディオデータが録音される。
【００２７】
このようにＩＮＰＵＴで示される入力ソースを録音ソースとして、ＴＲＡＣＫで示される録音先のトラックに割り当てる動作を図５に示す入力セレクタとトラックセレクタの同時押し処理のフローチャートを参照しながら説明する。なお、入力セレクタは図３に示すパネルにおいてＩＮＰＵＴのセレクタボタン（ＳＥＬ１）６０に相当し、トラックセレクタは図３に示すパネルにおいてトラックのセレクタボタン（ＳＥＬ２）６２に相当している。
ここで、ＩＮＰＵＴチャンネル３（録音ソース）がトラック１（録音トラック）にまだ割り当てられておらず、その表示画面ではＩＮＰＵＴチャンネル３とトラック１とが結線７４で接続されていない状態であったとする。そして、ＩＮＰＵＴチャンネル３（録音ソース）からのオーディオデータをトラック１（録音トラック）に録音させたい場合には、図３に示すパネル上のＩＮＰＵＴのセレクタボタン（ＳＥＬ１）６０の「３」と、トラックのセレクタボタン（ＳＥＬ２）６２の「１」とを同時に押す。ＣＰＵ１０は、２つめに操作されるボタンの押下時点（オンタイミング）で２つのボタンの同時押しであることを検出できる。すると、図５に示す入力セレクタとトラックセレクタの同時押し処理が起動され、ステップＳ１０においてＩＮＰＵＴのセレクタボタン（ＳＥＬ１）６０のいずれかを押して入力した入力チャンネル番号、この場合は「３」がＩＮＳＥＬレジスタに格納されると共に、トラックのセレクタボタン（ＳＥＬ２）６２のいずれかを押して入力したトラック番号、この場合は「１」がＴＲＳＥＬレジスタに格納される。
【００２８】
次いで、ステップＳ１１にて同時押しされて選択されたＩＮＰＵＴチャンネルとトラックとが既に接続されているか否かが判断される。この場合は、ＩＮＰＵＴチャンネル３とトラック１とが接続されていないとしたので、ステップＳ１１にてＮＯと判断されてステップＳ１３に分岐する。ステップＳ１３では、同時押しされて選択されたＩＮＰＵＴチャンネルあるいはトラックに別の結線７４が既に行われているか否かが判断される。この場合、ＩＮＰＵＴチャンネル３あるいはトラック１に既接続の結線７４がされていない場合は、ステップＳ１３にてＮＯと判断されてステップＳ１５に進む。そして、ステップＳ１５にてＩＮＳＥＬレジスタに格納されているチャンネル番号のＩＮＰＵＴチャンネルと、ＴＲＳＥＬレジスタに格納されているトラック番号のトラックとがルーチングされて接続されると共に、表示器１３の表示画面にＩＮＰＵＴチャンネル３とトラック１とを接続する結線７４を追加する。
【００２９】
また、ステップＳ１３において、ＩＮＰＵＴチャンネル３あるいはトラック１に既接続の結線７４があると判断された場合は、ステップＳ１４に分岐して既接続の別の結線７４が表示画面から削除されると共に、その接続が解除される。さらに、図４に示すようにＩＮＰＵＴチャンネル３とトラック１とが接続されていた場合は、ステップＳ１１にてＹＥＳと判断されてステップＳ１２に進み、ＩＮＰＵＴチャンネル３とトラック１とを接続する結線７４が削除されると共に、ＩＮＰＵＴチャンネル３とトラック１とを接続するルーチングが解除される。具体的に説明すると、図４に示す表示画面のように割り当てが設定されていた場合に、ＩＮＰＵＴチャンネル５とトラック５とに相当するセレクタボタンが同時に押されたとする。図４に示す表示画面では、ＩＮＰＵＴチャンネル５とトラック９とが接続されていると共に、ＩＮＰＵＴチャンネル７とトラック５とが接続されている。そこで、ステップＳ１３にてＩＮＰＵＴチャンネル５とトラック９とを接続している結線７４、および、ＩＮＰＵＴチャンネル７とトラック５とを接続している結線７４が削除されると共に、そのルーチングが解除される。ステップＳ１２あるいはステップＳ１５の処理が終了すると、入力セレクタとトラックセレクタの同時押し処理は終了する。
【００３０】
ここで、ＩＮＰＵＴのセレクトボタン（ＳＥＬ１）６０とトラックのセレクトボタン（ＳＥＬ２）６２の同時押しは、一方のボタンが押されているとき他方のボタンがさらに押された場合のことをいい、どちらが先に押されたかは問題ではない。そこで、一方のボタンが押されたとき、押されたセレクトボタンに対応するＩＮＰＵＴチャンネルないしトラックの結線先のトラックないしＩＮＰＵＴチャンネルに対応したセレクトボタンを赤色で点滅発光するようにすれば、他方のボタンの操作をその状態で結線の状態を確認しながら行なうことができる。さらに、表示器１３に表示されている表示画面において、押されたボタンに相当するＩＮＰＵＴチャンネル番号の入力ジャック７２あるいはそのトラック番号のトラックジャック７３にカーソルが移動するようになる。
また、ステレオペアとされているトラック番号のセレクタボタン（ＳＥＬ２）６２が押された場合は、この際に選択されたＩＮＰＵＴチャンネルがステレオペアとされているか否かによって異なる割り当てが行われる。すなわち、そのＩＮＰＵＴチャンネルがステレオペアとされている場合は、そのＩＮＰＵＴチャンネルが奇数／偶数チャンネルにかかわらずそのステレオペアの奇数チャンネルのＩＮＰＵＴチャンネルは奇数番号のトラックに、偶数チャンネルのＩＮＰＵＴチャンネルは偶数番号のトラックに２チャンネル同時に割り当てられる。また、そのＩＮＰＵＴチャンネルがステレオペアとされていない場合は、奇数チャンネルのＩＮＰＵＴチャンネルは奇数番号のトラックに、偶数チャンネルのＩＮＰＵＴチャンネルは偶数番号のトラックにチャンネル単位で個別に割り当てられる。例えば、図４で、ＩＮＰＵＴチャンネル２のセレクトボタン（ＳＥＬ１）６０とトラック１５・１６のセレクトボタン（ＳＥＬ２）６２を同時押しする場合、ＩＮＰＵＴチャンネル１と２がペア設定されていなければ、ＩＮＰＵＴチャンネル２とトラック１６の結線のみが制御され、ＩＮＰＵＴチャンネル１と２がペア設定されていれば、ＩＮＰＵＴチャンネル１とトラック１５の結線とＩＮＰＵＴチャンネル２とトラック１６の結線が２本同時に制御される。
【００３１】
上述した繰作を行うことにより、ＩＮＰＵＴチャンネルがトラックに割り当てられて録音ソースとされた場合は、録音ソースとされたＩＮＰＵＴチャンネルにおけるフェーダは基準レベルである０ｄＢに設定されると共に、バスアサインは全て解除される。さらに、そのＩＮＰＵＴチャンネルがアナログインプットとされていた場合は、パネルに設けられているゲインノブ６８によりゲインを調整することにより、録音レベルを調整することができる。また、レコーダｃｈ部４４における録音トラックに対応したレコーダチャンネルのイコライザおよびダイナミクスの周波数特性はフラットに設定される。さらに、そのレコーダチャンネルにおけるパンは、モノラルの場合はセンターに、ステレオペアに設定されているトラックの場合は奇数チャンネルのパンが最も左に、偶数チャンネルのパンが最も右に設定される。さらにまた、そのレコーダチャンネルに対応するフェーダ６３では、停止中および録音中は接続されているＩＮＰＵＴチャンネル出力のモニターレベルの調整を行え、録音中でない走行中はそのレコーダチャンネルからの再生のモニターレベルの調整を行える。さらにまた、MASTERフェーダではモニターレベルの調整が行える。
なお、図４に示す表示画面において「１−８」にカーソルを移動させてエンターキー６６を押すと、ＩＮＰＵＴチャンネル１〜８の録音先にトラック１〜８が選択され、録音待機状態とされる。また、「９−１６」にカーソルを移動させてエンターキー６６を押すと、ＩＮＰＵＴチャンネル１〜８の録音先にトラック９〜１６が選択され、録音待機状態とされる。さらに、「ＳＡＦＥ」にカーソルを移動させてエンターキー６６を押すと、全ての録音先の選択と録音待機状態を解除することができる。
【００３２】
次に、クイックＲＥＣにおけるミクスドモードを説明する。ミクスドモードでは、選択された入力ソース（録音ソース）が２本の汎用バス４５でミキシングされて指定された録音トラックへルーチングされるモードである。
図３に示すパネルに設けられたクイックＲＥＣボタン６１を操作し、表示画面における「ＭＩＸＥＤ」にカーソルを移動させると表示器１３に表示されるクイックＲＥＣの表示画面が、図６に示すようなミクスドモードの表示画面となる。この表示画面において、左側にはモード選択７１の欄が表示され、「ＭＩＸＥＤ」が反転表示されてミクスドモードとされていることが示される。画面上部に表示されているＩＮＰＵＴの欄には、ミキサ入力ｃｈ部４３における１ｃｈ〜８ｃｈが番号で示され、そのチャンネル番号の直下に結線７４を行うための入力ジャック（ＩＮＰＵＴ  ＪＡＣＫ）７２が表示されている。また、ハードディスクレコーダ５２における１６トラックの各トラック番号が画面下部のＴＲＡＣＫ欄に表示され、その直上に結線７４を行うためのトラックジャック（ＴＲＡＣＫ  ＪＡＣＫ）７３が表示されている。ここでは、「ＩＮＰＵＴ５・６」と「ＴＲＡＣＫ５・６」のように表示されているので、ＩＮＰＵＴチャンネル５と６およびトラック５と６がそれぞれペア設定されていることが判る。
【００３３】
図６に示す表示画面では、上部左側に「ＴＲＡＣＫ１３・１４」と表示されているようにステレオペアトラック１３／１４が選択されており、そのレベルがレベルメータ７５の欄に表示されている。また、ＩＮＰＵＴのステレオペアとされているチャンネル番号「５・６」が反転表示されて選択されており、「ＩＮＰＵＴ５・６」にKEYBOARDが選択されていることが示されている。このＩＮＰＵＴのＴＹＰＥは選択可能とされ、アコースティックギターやエレクトリック・ギター、バス、ボーカルなどを選択することができる。各ＩＮＰＵＴチャンネルでは、そのチャンネルで選択されたＴＹＰＥに応じたゲインやイコライザ等の設定が行なわれる。さらに、表示画面の中央部には汎用バス４５における第１バス７６と第２バス７７とが表示されている。図６に示す表示画面においては、第１バス７６でミキシングされる録音ソースとしてＩＮＰＵＴチャンネル１、ＩＮＰＵＴチャンネル３、ＩＮＰＵＴチャンネル７が接続され、第２バス７７でミキシングされる録音ソースとしてＩＮＰＵＴチャンネル１、ＩＮＰＵＴチャンネル２、ＩＮＰＵＴチャンネル４、ＩＮＰＵＴチャンネル８が接続されていることが示されている。そして、第１バス７６の録音トラックはトラック１と、第２バス７７の録音トラックはトラック２とされていることが示されている。
【００３４】
これにより、ミキサ入力ｃｈ部４３のチャンネル１、チャンネル３およびチャンネル７から出力されるオーディオデータが、汎用バス４５における第１バス７６でミキシングされてトラック１に録音され、ミキサ入力ｃｈ部４３のチャンネル１、チャンネル２、チャンネル４、チャンネル８から出力されるオーディオデータが、汎用バス４５における第２バス７７でミキシングされてトラック２に録音されるようになる。
また、図６に示す表示画面において、カーソルを「ＢＵＳ」に移動させると、図７に示す表示画面となり汎用バス４５のレベルを調整可能なバスフェーダ８０と、バスレベルを示すバスレベルメータ７８とが追加表示されるようになる。
【００３５】
ミクスドモードにおいて、ＩＮＰＵＴで示されるＩＮＰＵＴチャンネルを録音ソースとして汎用バス４５に割り当てると共に、ＴＲＡＣＫで示されるトラックのいずれかを録音トラックとして汎用バス４５に割り当てる動作を、図９ないし図１２に示すフローチャートを参照しながら説明する。
図９は、バス選択処理のフローチャートであり、カーソルを第１バス７６あるいは第２バス７７に移動させて、エンターキー６６を押すことによりバス選択処理が起動される。そして、ステップＳ２０にてカーソルが移動されたバスが選択されて、そのバス番号のバスが選択されたバスであるＥＢＵＳとされる。これにより、バス選択処理は終了する。なお、選択されたバス（ＥＢＵＳ）を点滅表示するようにしてもよい。
【００３６】
図１０はバス選択処理が終了してから実行される入力セレクタとトラックセレクタの同時押し処理のフローチャートである。なお、入力セレクタは図３に示すパネルにおいてＩＮＰＵＴのセレクタボタン（ＳＥＬ１）６０に相当し、トラックセレクタは図３に示すパネルにおいてトラックのセレクタボタン（ＳＥＬ２）６２に相当している。ここで、図６に示す設定状態において、上述したバス選択処理により第１バス７６が選択されてＥＢＵＳとされていたとし、図３に示すパネル上のＩＮＰＵＴのセレクタボタン（ＳＥＬ１）６０の「３」と、トラックのセレクタボタン（ＳＥＬ２）６２の「１」とが同時に押されたとする。すると、図１０に示す入力セレクタとトラックセレクタの同時押し処理が起動され、ステップＳ２１においてＩＮＰＵＴのセレクタボタン（ＳＥＬ１）６０のいずれかを押して入力した入力チャンネル番号、この場合は「３」がＩＮＳＥＬレジスタに格納されると共に、トラックのセレクタボタン（ＳＥＬ２）６２のいずれかを押して入力したトラック番号、この場合は「１」がＴＲＳＥＬレジスタに格納される。
【００３７】
次いで、ステップＳ２２にて同時押しされて選択されたＩＮＰＵＴチャンネルとトラックとが選択されているバス（ＥＢＵＳ）により既に接続されているか否かが判断される。この場合は、図６に示すようにＩＮＰＵＴチャンネル３とトラック１とがＥＢＵＳである第１バス７６により接続されているので、ＹＥＳと判断されてステップＳ２３に進み、選択されたＩＮＰＵＴチャンネル３とＥＢＵＳである第１バス７６とを接続する結線７９と接続点が削除されると共に、ＩＮＰＵＴチャンネル３とＥＢＵＳである第１バス７６とを接続するルーチングが解除される。なお、他のＩＮＰＵＴチャンネルがＥＢＵＳに接続されている可能性があることから、選択されたトラック１とＥＢＵＳである第１バス７６との接続は維持される。このような設定を行った後は、ＩＮＰＵＴチャンネル１とＩＮＰＵＴチャンネル７からのオーディオデータが第１バス７６においてミキシングされてトラック１に録音されるようになる。
【００３８】
また、選択されたＩＮＰＵＴチャンネル３とトラック１とがＥＢＵＳである第１バス７６により接続されていない場合は、ステップＳ２２にてＮＯと判断されてステップＳ２４に分岐する。ステップＳ２４では、選択されていないバス（ＩＥＢＵＳ）である第２バス７７と選択されたトラックとが既に接続されているか否かが判断される。この場合、ＩＥＢＵＳである第２バス７７とトラック１とが接続されていると判断された場合は、ステップＳ２５に分岐してＩＥＢＵＳである第２バス７７がオフされると共に、第２バス７７とトラック１との結線が削除される。次いで、ステップＳ２４にてＮＯと判断された場合と同様にステップＳ２６に進む。そして、ステップＳ２６にてＥＢＵＳである第１バス７６とＴＲＳＥＬレジスタに格納されているトラック番号（録音トラック）のトラック１とがルーチングされて接続される。この場合、ＥＢＵＳである第１バス７６がオフされている場合はオンされる。さらに、ステップＳ２７にてＥＢＵＳである第１バス７６とＩＮＳＥＬレジスタに格納されているチャンネル番号のＩＮＰＵＴチャンネル３（録音ソース）とが接続されていない場合は、第１バス７６とＩＮＰＵＴチャンネル３とがルーチングされて接続されると共に、表示器１３の表示画面においてＩＮＰＵＴチャンネル３とトラック１とを第１バス７６を経由して接続する結線７９と接続点とを追加する。ステップＳ２３あるいはステップＳ２７の処理が終了すると、入力セレクタとトラックセレクタの同時押し処理は終了する。
【００３９】
ここで、ＩＮＰＵＴのセレクトボタン（ＳＥＬ１）６０とトラックのセレクトボタン（ＳＥＬ２）６２の同時押しは、一方のボタンが押されているとき他方のボタンがさらに押された場合のことをいい、どちらが先に押されたかは問題ではない。そこで、一方のボタンが押されたとき、押されたセレクトボタンに対応するＩＮＰＵＴチャンネルないしトラックの結線先のトラックないしＩＮＰＵＴチャンネルに対応したセレクトボタンを赤色で点滅発光するようにすれば、他方のボタンの操作をその状態で結線の状態を確認しながら行なうことができる。さらに、表示器１３に表示されている表示画面において、押されたボタンに相当するＩＮＰＵＴチャンネル番号の入力ジャック７２あるいはそのトラック番号のトラックジャック７３にカーソルが移動するようになる。
【００４０】
上述した繰作を行うことにより、録音ソースに選択されたＩＮＰＵＴチャンネルにおいては、そのＩＮＰＵＴチャンネルにおけるフェーダは基準レベルである０ｄＢに設定されると共に、バスアサインは汎用バス４５以外のアサインが解除される。さらに、そのＩＮＰＵＴチャンネルがアナログインプットとされていた場合は、パネルに設けられているゲインノブ６８によりゲインを調整することにより、録音レベルを調整することができる。録音レベルは、バスフェーダ８０を調整することによっても調整することができる。また、レコーダｃｈ部４４における録音トラックに対応したレコーダチャンネルのイコライザおよびダイナミクスの周波数特性はフラットに設定される。さらに、そのレコーダチャンネルにおけるパンは、モノラルの場合はセンターに、ステレオペアに設定されているトラックの場合は奇数チャンネルのパンが最も左に、偶数チャンネルのパンが最も右に設定される。さらにまた、そのレコーダチャンネルに対応するフェーダ６３では、停止中および録音中は接続されているバスのモニターレベルの調整を行え、録音中でない走行中はそのレコーダチャンネルからの再生のモニターレベルの調整を行える。さらにまた、レコーダｃｈ部４４における録音トラックとされていないトラックに対応するレコーダチャンネルにおいては、そのレコーダチャンネル再生のモニターレベルの調整が行える。
なお、図６に示す表示画面において「ＳＡＦＥ」にカーソルを合わせてエンターキー６６を押すと、全ての録音先の選択と録音待機状態を解除することができる。
【００４１】
ここで、ステップＳ２５にてＩＥＢＵＳの結線が削除された表示態様を、具体例を挙げて説明する。この例では、ＥＢＵＳが第２バス７７とされると共に、図６に示す設定状態とされているとする。そして、パネル上のＩＮＰＵＴのセレクタボタン（ＳＥＬ１）６０の「１」と、トラックのセレクタボタン（ＳＥＬ２）６２の「１」とが同時に押されたとする。この場合は、ＩＥＢＵＳである第１バス７６と選択されたトラック１とが既接続とされていることから、ステップＳ２５にて第１バス７６の結線が図８に示すように削除される。そして、ステップＳ２６においてＥＢＵＳである第２バス７７と録音トラックであるトラック１とが図８に示すように結線される。
【００４２】
ミクスドモードにおいては、パネル上のＩＮＰＵＴのセレクタボタン（ＳＥＬ１）６０のいずれかを単独で押した際に、録音ソースの選択／解除を行うことができ、トラックのセレクタボタン（ＳＥＬ２）６２のいずれかを単独で押した際に、録音トラックの選択／解除を行うことができる。そこで、ＩＮＰＵＴのセレクタボタン（ＳＥＬ１）６０のいずれかを単独で押した際に実行される入力セレクタ処理を、図１１に示すフローチャートを参照して説明する。なお、ＣＰＵは、１つめに操作されたボタンが非押下状態に戻る時点（オフタイミング）で、他のボタンとの同時押下ではない、すなわち、単独で押されたことを検出できる。
ＩＮＰＵＴのセレクタボタン（ＳＥＬ１）６０のいずれかが単独で押されると、入力セレクタ処理が起動されステップＳ３０にてＩＮＰＵＴのセレクタボタン（ＳＥＬ１）６０のいずれかを押して入力した入力チャンネル番号がＩＮＳＥＬレジスタに格納される。次いで、ステップＳ３１にて選択されたＩＮＰＵＴチャンネルが選択されているバス（ＥＢＵＳ）に既に接続されているか否かが判断される。ここで、選択されたＩＮＰＵＴチャンネルがＥＢＵＳに接続されていると判断された場合はステップＳ３２に進み、選択されたＩＮＰＵＴチャンネルとＥＢＵＳとを接続する結線７９と接続点が削除されると共に、ＩＮＰＵＴチャンネルとＥＢＵＳとを接続するルーチングが解除される。
【００４３】
また、ステップＳ３１にて選択されたＩＮＰＵＴチャンネルがＥＢＵＳに接続されていないと判断された場合はステップＳ３３に分岐し、選択されたＩＮＰＵＴチャンネルとＥＢＵＳとを接続する結線７９が追加されると共に、ＩＮＰＵＴチャンネルとＥＢＵＳとを接続するようにルーチングされる。ステップＳ３２あるいはステップＳ３３の処理が終了すると、入力セレクタ処理は終了する。このように、入力セレクタ処理ではＩＮＰＵＴのセレクタボタン（ＳＥＬ１）６０のいずれかを単独で押すことにより、録音ソースの選択されたバスへの選択／解除を行えるようになる。なお、ＩＮＰＵＴのセレクタボタン（ＳＥＬ１）６０のいずれかを単独で押すことに替えて、ミクスドモードの表示画面においてカーソルを入力ジャック７２のいずれかに移動させることにより、その入力ジャック７２に対応するＩＮＰＵＴチャンネルを選択するようにしてもよい。
【００４４】
次に、トラックのセレクタボタン（ＳＥＬ２）６２のいずれかを単独で押した際に実行されるトラックセレクタ処理を、図１２に示すフローチャートを参照して説明する。トラックのセレクタボタン（ＳＥＬ２）６２のいずれかが単独で押されると、トラックセレクタ処理が起動されステップＳ３５にてトラックのセレクタボタン（ＳＥＬ２）６２のいずれかを押して入力したトラック番号がＴＲＳＥＬレジスタに格納される。次いで、ステップＳ３６にて選択されたトラックが選択されているバス（ＥＢＵＳ）に既に接続されているか否かが判断される。ここで、選択されたトラックがＥＢＵＳに接続されていると判断された場合はステップＳ３７に進み、ＥＢＵＳがオフされる。さらに、選択されたトラックと接続する結線が削除されると共に、選択されたトラックとＥＢＵＳとを接続するルーチングが解除される。
【００４５】
また、ステップＳ３６にて選択されたトラックがＥＢＵＳに接続されていないと判断された場合はステップＳ３８に分岐し、選択されたトラックとＥＢＵＳとが接続されると共に、選択されたトラックとＥＢＵＳとを接続するようにルーチングされる。また、ＥＢＵＳがオンされていない場合はオンする。ステップＳ３７あるいはステップＳ３８の処理が終了すると、トラックセレクタ処理は終了する。このように、トラックセレクタ処理ではトラックのセレクタボタン（ＳＥＬ２）６２のいずれかを単独で押すことにより、選択されたバスにおける録音トラックの選択／解除を行えるようになる。なお、トラックのセレクタボタン（ＳＥＬ２）６２のいずれかを単独で押すことに替えて、ミクスドモードの表示画面においてカーソルをトラックジャック７３のいずれかに移動させることにより、そのトラックジャック７３に対応するトラックを選択するようにしてもよい。
【００４６】
さらに、ミクスドモードでは汎用バス４５における第１バス７６には奇数番号のトラックのみが割当可能とされ、第２バス７７には偶数番号のトラックのみが割当可能と、予め定めておくようにしてもよい。
この場合におけるＩＮＰＵＴで示されるＩＮＰＵＴチャンネルを録音ソースとして汎用バス４５のいずれかに割り当てると共に、ＴＲＡＣＫで示されるトラックを録音トラックとして汎用バス４５のいずれかに割り当てる動作を、図１３ないし図１５に示すフローチャートを参照しながら説明する。
【００４７】
図１３は、入力セレクタとトラックセレクタの同時押し処理のフローチャートである。なお、入力セレクタは図３に示すパネルにおいてＩＮＰＵＴのセレクタボタン（ＳＥＬ１）６０に相当し、トラックセレクタは図３に示すパネルにおいてトラックのセレクタボタン（ＳＥＬ２）６２に相当している。ここで、図６に示す設定状態において、図３に示すパネル上のＩＮＰＵＴのセレクタボタン（ＳＥＬ１）６０の「４」と、トラックのセレクタボタン（ＳＥＬ２）６２の「５」とが同時に押されたとする。すると、図１３に示す入力セレクタとトラックセレクタの同時押し処理が起動され、ステップＳ４０においてＩＮＰＵＴのセレクタボタン（ＳＥＬ１）６０のいずれかを押して入力した入力チャンネル番号、この場合は「４」がＩＮＳＥＬレジスタに格納されると共に、トラックのセレクタボタン（ＳＥＬ２）６２のいずれかを押して入力したトラック番号、この場合は「５」がＴＲＳＥＬレジスタに格納される。
【００４８】
次いで、ステップＳ４１にて同時押しされて選択されたＩＮＰＵＴチャンネルとトラックとが汎用バス４５における２本のバスの内のトラック番号に対応したＢＵＳＸにより既に接続されているか否かが判断される。ここでは、トラック番号が「５」で奇数であるので、ＢＵＳＸは第１バス７６となる。図６に示す場合は、選択されたＩＮＰＵＴチャンネル４とトラック５とがいずれのバスでも接続されていないので、ＮＯと判断されてステップＳ４３に分岐する。ステップＳ４３では、同時押しされて選択されたトラックに応じたバスＢＵＳＸに、選択されたトラックが録音トラックとして接続される。この場合は、選択されたトラックがトラック５と奇数番号トラックとされていることから対応する第１バス７６がＢＵＳＸとされ、トラック５が第１バス７６に結線されると共に、ルーチングされて接続される。この場合、ＢＵＳＸである第１バス７６がオフされている場合はオンされる。さらに、ステップＳ４４にてＢＵＳＸである第１バス７６とＩＮＳＥＬレジスタに格納されているチャンネル番号（録音ソース）のＩＮＰＵＴチャンネル４とが接続されていない場合は、第１バス７６とＩＮＰＵＴチャンネル４とがルーチングされて接続されると共に、表示器１３の表示画面においてＩＮＰＵＴチャンネル４とトラック５とを第１バス７６を経由して接続する結線７９と接続点とが追加される。
【００４９】
また、ステップＳ４１にてＩＮＰＵＴチャンネル４とトラック５とが対応するバスＢＵＳＸ（この場合は、第１バス７６）により接続されていると判断された場合は、ステップＳ４２に進み選択されたＩＮＰＵＴチャンネル４とＢＵＳＸとを接続する結線７９と接続点が削除されると共に、ＩＮＰＵＴチャンネル４とＢＵＳＸとを接続するルーチングが解除される。なお、他のＩＮＰＵＴチャンネルがＢＵＳＸに接続されている可能性があることから、選択されたトラック５とＢＵＳＸとの接続は維持される。ステップＳ４２あるいはステップＳ４４の処理が終了すると、入力セレクタとトラックセレクタの同時押し処理は終了する。
【００５０】
ここで、ＩＮＰＵＴのセレクトボタン（ＳＥＬ１）６０とトラックのセレクトボタン（ＳＥＬ２）６２の同時押しは、一方のボタンが押されているとき他方のボタンがさらに押された場合のことをいい、どちらが先に押されたかは問題ではない。そこで、一方のボタンが押されたとき、押されたセレクトボタンに対応するＩＮＰＵＴチャンネルないしトラックの結線先のトラックないしＩＮＰＵＴチャンネルに対応したセレクトボタンを赤色で点滅発光するようにすれば、他方のボタンの操作をその状態で結線の状態を確認しながら行なうことができる。さらに、表示器１３に表示されている表示画面において、押されたボタンに相当するＩＮＰＵＴチャンネル番号の入力ジャック７２あるいはそのトラック番号のトラックジャック７３にカーソルが移動するようになる。
【００５１】
上述した繰作を行うことにより、録音ソースに選択されたＩＮＰＵＴチャンネルにおいては、そのＩＮＰＵＴチャンネルにおけるフェーダは基準レベルである０ｄＢに設定されると共に、バスアサインは汎用バス４５以外のアサインが解除される。さらに、そのＩＮＰＵＴチャンネルがアナログインプットとされていた場合は、パネルに設けられているゲインノブ６８によりゲインを調整することにより、録音レベルを調整することができる。録音レベルは、バスフェーダ８０を調整することによっても調整することができる。また、レコーダｃｈ部４４における録音トラックに対応したレコーダチャンネルのイコライザおよびダイナミクスの周波数特性はフラットに設定される。さらに、そのレコーダチャンネルにおけるパンは、モノラルの場合はセンターに、ステレオペアに設定されているトラックの場合は奇数チャンネルのパンが最も左に、偶数チャンネルのパンが最も右に設定される。さらにまた、そのレコーダチャンネルにおけるトラックのフェーダ６３では、停止中および録音中は接続されているバスのモニターレベルの調整を行え、録音中でない走行中はそのトラックからの再生のモニターレベルの調整を行える。さらにまた、レコーダｃｈ部４４における録音トラックとされていないトラックに対応するレコーダチャンネルにおいては、そのトラック再生のモニターレベルの調整が行える。
なお、図６に示す表示画面において「ＳＡＦＥ」にカーソルを合わせてエンターキー６６を押すと、全ての録音先の選択と録音待機状態を解除することができる。
【００５２】
録音トラックとバスとが対応しているミクスドモードにおいても、パネル上のＩＮＰＵＴのセレクタボタン（ＳＥＬ１）６０のいずれかを単独で押した際に、録音ソースの選択／解除を行うことができ、トラックのセレクタボタン（ＳＥＬ２）６２のいずれかを単独で押した際に、録音トラックの選択／解除を行うことができる。そこで、ＩＮＰＵＴのセレクタボタン（ＳＥＬ１）６０のいずれかを単独で押した際に実行される入力セレクタ処理を、図１４に示すフローチャートを参照して説明する。
ＩＮＰＵＴのセレクタボタン（ＳＥＬ１）６０のいずれかが単独で押されると、入力セレクタ処理が起動されステップＳ５０にてＩＮＰＵＴのセレクタボタン（ＳＥＬ１）６０のいずれかを押して入力した入力チャンネル番号がＩＮＳＥＬレジスタに格納される。次いで、ステップＳ５１にて選択されたＩＮＰＵＴチャンネルがいずれかのバスに既に接続されているか否かが判断される。ここで、選択されたＩＮＰＵＴチャンネルがいずれかのバスに接続されていると判断された場合はステップＳ５２に進み、選択されたＩＮＰＵＴチャンネルとそのバスとを接続する結線７９と接続点が削除されると共に、ＩＮＰＵＴチャンネルとそのバスとを接続するルーチングが解除される。
【００５３】
また、ステップＳ５１にて選択されたＩＮＰＵＴチャンネルがいずれかのバスに接続されていないと判断された場合はステップＳ５３に分岐し、選択されたＩＮＰＵＴチャンネルと表示されているバスとを接続する結線７９が追加されると共に、ＩＮＰＵＴチャンネルと表示されているバスとを接続するようにルーチングされる。この場合、表示されているバスとは選択されたＩＮＰＵＴチャンネルがモノラルとされている場合は、表示されているバスが第１バス７６と第２バス７７との２本のバスとされ、選択されたＩＮＰＵＴチャンネルがステレオとされている場合は、そのＩＮＰＵＴチャンネルが奇数チャンネルの時に第１バス７６とされ偶数チャンネルの時に第２バス７７とされる。ステップＳ５２あるいはステップＳ５３の処理が終了すると、入力セレクタ処理は終了する。このように、入力セレクタ処理ではＩＮＰＵＴのセレクタボタン（ＳＥＬ１）６０のいずれかを単独で押すことにより、録音ソースの選択されたバスへの選択／解除を行えるようになる。
【００５４】
次に、トラックのセレクタボタン（ＳＥＬ２）６２のいずれかを単独で押した際に実行されるトラックセレクタ処理を、図１５に示すフローチャートを参照して説明する。トラックのセレクタボタン（ＳＥＬ２）６２のいずれかが単独で押されると、トラックセレクタ処理が起動されステップＳ５５にてトラックのセレクタボタン（ＳＥＬ２）６２のいずれかを押して入力したトラック番号がＴＲＳＥＬレジスタに格納される。次いで、ステップＳ５６にて選択されたトラックが、選択されたトラックに対応するＢＵＳＸに既に接続されているか否かが判断される。ここで、選択されたトラックがＢＵＳＸに接続されていると判断された場合はステップＳ５７に進み、ＢＵＳＸがオフされる。さらに、選択されたトラックと接続する結線が削除されると共に、選択されたトラックとＢＵＳＸとを接続するルーチングが解除される。
【００５５】
また、ステップＳ５６にて選択されたトラックがＢＵＳＸに接続されていないと判断された場合はステップＳ５８に分岐し、選択されたトラックとＢＵＳＸとが接続されると共に、選択されたトラックとＢＵＳＸとを接続するようにルーチングされる。また、ＢＵＳＸがオンされていない場合はオンする。ステップＳ５７あるいはステップＳ５８の処理が終了すると、トラックセレクタ処理は終了する。このように、トラックセレクタ処理ではトラックのセレクタボタン（ＳＥＬ２）６２のいずれかを単独で押すことにより、選択されたバスにおける録音トラックの選択／解除を行えるようになる。
【００５６】
クイックＲＥＣにおいては、以上説明したモード以外にサンプリングモード（ＳＡＭＰＬＥ）、バウンスモード（ＢＯＵＮＣＥ）およびマスターモード（ＭＡＳＴＥＲ）がある。これらのモードには、図４や図６に示すクイックＲＥＣの表示画面において、カーソルを「ＳＡＭＰＬＥ」に移動させるとサンプリングモードとなり、カーソルを「ＢＯＵＮＣＥ」に移動させるとバウンスモードとなり、カーソルを「ＭＡＳＴＥＲ」に移動させるとマスターモードになる。
サンプリングモードは、ミキサ入力ｃｈ部４３における１ｃｈ〜８ｃｈをＩＮＰＵＴチャンネルとして、パッドにＩＮＰＵＴチャンネルを割り当てることにより、そのＩＮＰＵＴチャンネルからのオーディオデータをサンプリングしてパッドに割り当てるモードである。また、バウンスモードは、複数トラックを汎用バス４５を経由して別トラックへまとめて録音するモードであり、マスターモードは複数トラックをマスタートラックへまとめて録音するモードであり、この場合は複数トラックをステレオ用バス４６を経由してマスタートラックへ録音するようにしている。
【００５７】
上記説明したように、本発明のミキサを備えるディジタルレコーダ１においては、ダイレクトモードないしミクスドモードの表示画面において、ＩＮＰＵＴのセレクトボタン（ＳＥＬ１）６０とトラックのセレクトボタン（ＳＥＬ２）６２を同時押しすることにより結線が行なわれるようにされている。この同時押しは、同時に２つのボタンが押された場合に限らず、一方のボタンを押してそのボタンが選択されている状態で他方のボタンを押した場合も同時押しされたものとしてよい。例えば、以下の（１）〜（４）のように動作する。
【００５８】
（１）何も結線されていないＩＮＰＵＴチャンネルのセレクトボタン（ＳＥＬ１）６０が押された場合。
そのＩＮＰＵＴチャンネルが選択状態となる（カーソルが入力ジャック７２へ移動）とともに、全てのトラックのセレクトボタン（ＳＥＬ２）６２が赤色で点滅する。この状態で、ＩＮＰＵＴセレクトボタン（ＳＥＬ１）６０ないしトラックセレクトボタン（ＳＥＬ２）６２が操作可能となっている。ここで、何れかのトラックのセレクトボタン（ＳＥＬ２）６２が押されると、選択状態のＩＮＰＵＴチャンネルからそのトラックへの結線が行なわれ、その選択状態が解除されるとともにトラックセレクトボタン（ＳＥＬ２）６２の点滅が停止する。
また、選択状態のＩＮＰＵＴチャンネルのセレクトボタン（ＳＥＬ１）６０が再び押されると、その選択状態が解除されるとともに、トラックセレクトボタン（ＳＥＬ２）６２の点滅が停止する。さらに、選択状態になっているＩＮＰＵＴチャンネルとは異なるＩＮＰＵＴチャンネルのセレクトボタン（ＳＥＬ１）６０が押された場合は、その選択状態が解除されるとともに、後から押されたＩＮＰＵＴチャンネルが選択状態になる。
【００５９】
（２）既に結線されているＩＮＰＵＴチャンネルのセレクトボタン（ＳＥＬ１）６０が押された場合。
そのＩＮＰＵＴチャンネルが選択状態となる（カーソルが入力ジャック７２へ移動）とともに、その結線先のトラックのセレクトボタン（ＳＥＬ２）６２のみが赤色で点滅する。この状態で、ＩＮＰＵＴセレクトボタン（ＳＥＬ１）６０ないしトラックセレクトボタン（ＳＥＬ２）６２が操作可能となっている。ここで、点滅しているトラックセレクトボタン（ＳＥＬ２）６２が押されると、選択状態のＩＮＰＵＴチャンネルからの現結線が削除され、その選択状態が解除されるとともにその点滅が停止する。
【００６０】
また、点滅していないトラックセレクトボタン（ＳＥＬ２）６２が押されると、選択状態のＩＮＰＵＴチャンネルからの現結線が削除されて、代わりに新たに押されたボタン（ＳＥＬ２）６２に対応するトラックへの結線が行なわれ、その選択状態が解除されるとともに点滅しているトラックセレクトボタン（ＳＥＬ２）の点滅が停止する。さらに、選択状態になっているＩＮＰＵＴチャンネルのセレクトボタン（ＳＥＬ１）６０が再び押されると、入力ジャック７２の選択状態が解除され、点滅しているトラックセレクトボタン（ＳＥＬ２）の点滅が停止する。さらにまた、選択状態になっているＩＮＰＵＴチャンネルとは異なるＩＮＰＵＴチャンネルのセレクトボタン（ＳＥＬ１）６０が押されると、選択状態となっているＩＮＰＵＴチャンネルが解除され、後から押されたＩＮＰＵＴチャンネルが選択状態になる。そのときのトラックセレクトボタン（ＳＥＬ２）の点滅の状態は、上記（１）ないし上記（２）の場合に準じる。
【００６１】
（３）何も結線されていないトラックのセレクトボタン（ＳＥＬ２）６２が押された場合。
（１）の場合に準じて、ＩＮＰＵＴチャンネルとトラックの立場が逆になった動作を行なう。
（４）既に結線されているトラックのセレクトボタン（ＳＥＬ２）６２が押された場合。
（２）の場合に準じて、ＩＮＰＵＴチャンネルとトラックの立場が逆になった動作を行なう。
上記（１）〜（４）のように動作することにより、最初の操作で、ＩＮＰＵＴのセレクトボタン（ＳＥＬ１）６０とトラックのセレクトボタン（ＳＥＬ２）６２を押すことにより、その押したボタンに対応するＩＮＰＵＴチャンネルあるいはトラックがどのように結線されているかを確認することができるようになる。そして、その次の操作で、ＩＮＰＵＴのセレクトボタン（ＳＥＬ１）６０とトラックのセレクトボタン（ＳＥＬ２）６２を押すことにより、新規の結線、現在の結線の削除や操作の中止を行うことができるようになる。すなわち、何れの処理を行う際にも２回だけボタンを操作することにより実行可能となる。したがって、カーソルを動かしてリターンキーを押すのに比べ、少ない操作で簡単に結線を制御することができるようになる。
【００６２】
なお、ミクスドモードにおけるＩＮＰＵＴチャンネルとトラックの結線は、ＩＮＰＵＴのセレクトボタン（ＳＥＬ１）６０とトラックのセレクトボタン（ＳＥＬ２）６２を同時押しではなく、各ボタンの個別の操作で行なえるようにしてもよい。例えば、以下の（１）〜（３）のように動作する。
（１）ＩＮＰＵＴチャンネルのセレクトボタン（ＳＥＬ１）６０が押された場合。
ボタンを押す度に、次に示す状態１〜状態４の４つの接続状態が順次選択される。
（状態１）何れのバスとも接続なし。
（状態２）第１バスと第２バスの両方と接続。
（状態３）第１バスのみと接続。
（状態４）第２バスのみと接続。
各バスの接続されるトラックは変更されない。
【００６３】
（２）バスに接続されていないトラックのセレクトボタン（ＳＥＬ２）６２が押された場合。
押されたボタンに対応するトラックのトラック番号が奇数の場合は、第１バス７６とその他のトラックとの接続が削除され、そのトラックが第１バス７６と接続される。また、押されたボタンに対応するトラックのトラック番号が偶数の場合は、第２バス７７とその他のトラックとの接続が削除され、そのトラックが第２バス７７と接続される。
（３）既にバスに接続されているトラックのセレクトボタン（ＳＥＬ２）６２が押された場合。
そのトラックのバスとの接続が削除される。
上記した（１）〜（３）のように動作することにより、第１バス７６は必ず奇数番のトラックに接続され、第２バス７７は必ず偶数番のトラックに接続されるようになる。その結果、奇数番のトラックを２つ、あるいは、偶数番のトラックを２つ選択できなくなるが、その分、操作をユーザが理解しやすくなる。また、上記した（１）〜（３）のように動作することにより、ＩＮＰＵＴチャンネルに対応した１つのセレクトボタン（ＳＥＬ１）６０だけで、そのＩＮＰＵＴチャンネルとバスとの接続を設定することができる。さらに、録音先のトラックは、各トラックに対応した１つのセレクトボタン（ＳＥＬ２）６２の一回の操作だけで選択ないし解除することができるようになる。
【００６４】
【発明の効果】
本発明は以上のように構成されているので、入力ソースと、ミキシングバス手段における各バスと、録音トラックとの接続関係を表示する画面において、簡単な選択操作を行うことにより、入力ソースと、ミキシングバス手段における各バスと、録音トラックとが選択に応じてルーチングされるようになる。これにより、ミキシングバスを使用する場合であっても、録音時に設定する設定操作を簡易に行うことができるようになる。
ところで、ミキシングバスを使用した録音の設定では、一般には、複数の入力ソースについて、各入力ソース毎にどのミキシングバスへ出力するかを指定していかなければならないため、全体としての接続状態が把握しにくい。しかし、本発明では、画面上にミキシングバスをグラフィック表示しているため、複数本のバスがある場合でもバスの接続状態が一目で把握できるようになる。
【図面の簡単な説明】
【図１】  本発明の実施の形態のミキサを備えるディジタルレコーダの構成を示すブロック図である。
【図２】  本発明の実施の形態のミキサを備えるディジタルレコーダにおいてＤＳＰにより実現されるミキシング処理の概要を表すブロック図である。
【図３】  本発明の実施の形態のミキサを備えるディジタルレコーダにおいてパネルの外観構成を示す図である。
【図４】  本発明の実施の形態のミキサを備えるディジタルレコーダにおけるダイレクトモードの表示画面の図である。
【図５】  本発明の実施の形態のミキサを備えるディジタルレコーダにおいてダイレクトモードで実行される入力セレクタとトラックセレクタの同時押し処理のフローチャートである。
【図６】  本発明の実施の形態のミキサを備えるディジタルレコーダにおけるミクスドモードの表示画面の図である。
【図７】  本発明の実施の形態のミキサを備えるディジタルレコーダにおけるミクスドモードにおいてバスにカーソルを移動した際の表示画面の図である。
【図８】  本発明の実施の形態のミキサを備えるディジタルレコーダにおけるミクスドモードにおいてバスとトラックとの間の結線が削除された表示画面の図である。
【図９】  本発明の実施の形態のミキサを備えるディジタルレコーダにおいてミクスドモードで実行されるバス選択処理のフローチャートである。
【図１０】  本発明の実施の形態のミキサを備えるディジタルレコーダにおいてミクスドモードで実行される入力セレクタとトラックセレクタの同時押し処理のフローチャートである。
【図１１】  本発明の実施の形態のミキサを備えるディジタルレコーダにおいてミクスドモードで実行される入力セレクタ処理のフローチャートである。
【図１２】  本発明の実施の形態のミキサを備えるディジタルレコーダにおいてミクスドモードで実行されるトラックセレクタ処理のフローチャートである。
【図１３】  本発明の実施の形態のミキサを備えるディジタルレコーダにおいてミクスドモードで実行される入力セレクタとトラックセレクタの他の同時押し処理のフローチャートである。
【図１４】  本発明の実施の形態のミキサを備えるディジタルレコーダにおいてミクスドモードで実行される他の入力セレクタ処理のフローチャートである。
【図１５】  本発明の実施の形態のミキサを備えるディジタルレコーダにおいてミクスドモードで実行される他のトラックセレクタ処理のフローチャートである。
【符号の説明】
１  ミキサを備えるディジタルレコーダ、１０  ＣＰＵ、１１  フラッシュメモリ、１２  ＲＡＭ、１３  表示器、１４  フェーダ、１５  操作子、１６  ＤＳＰ、１７  バッファメモリ、１８  転送回路、１９  ハードディスク、２０  ＰＣ  Ｉ／Ｏ、２１  バス、３０  ＡＤ、３１  ＤｉｎＬ／Ｒ、３２  ＡｏｕｔＬ／Ｒ、３３  ＤｏｕｔＬ／Ｒ、４０  ＡＤ、４１  ＤｉｎＬ／Ｒ、４２  入力パッチ、４３  ミキサ入力ｃｈ部、４４  レコーダｃｈ部、４５  汎用バス、４６ステレオ用バス、４７  ＡＵＸバス、４８  出力パッチ、４９  ＡｏｕｔＬ／Ｒ、５０  ＤｏｕｔＬ／Ｒ、５１  録音セレクタ、５２  ハードディスクレコーダ、６０  ＩＮＰＵＴのセレクタボタン、６１  クイックＲＥＣボタン、６２  トラックのセレクタボタン、６３  フェーダ、６４  ジョグダイヤル、６５  方向キー、６６  エンターキー、６７  録音操作子、６８  ゲインノブ、７１  モード選択、７２  入力ジャック、７３  トラックジャック、７４  結線、７５  レベルメータ、７６  第１バス、７７  第２バス、７８  バスレベルメータ、７９  結線、８０  バスフェーダ
【図１】
0003982287.tif 000002
【図２】
0003982287.tif 000003
【図３】
0003982287.tif 000004
【図４】
0003982287.tif 000005
【図５】
0003982287.tif 000006
【図６】
0003982287.tif 000007
【図７】
0003982287.tif 000008
【図８】
0003982287.tif 000009
【図９】
0003982287.tif 000010
【図１０】
0003982287.tif 000011
【図１１】
0003982287.tif 000012
【図１２】
0003982287.tif 000013
【図１３】
0003982287.tif 000014
【図１４】
0003982287.tif 000015
【図１５】
0003982287.tif 000016